(57)【特許請求の範囲】
【請求項１】
第１の印刷配線基板が収容配置され、格納部が設けられた第１の筐体と、
前記第１の印刷配線基板と電気的に接続される第２の印刷配線基板が収容配置され、前記第1の筐体の格納部に出入り自在に配される第２の筐体と、
前記第１の筐体に収容された前記第１の印刷配線基板と前記第２の筐体に収容された前記第２の印刷配線基板とを配線接続する配線ケーブルと、
前記格納部の側部に配され、前記第２の筐体を、前記第１の筐体の格納部に積重状に格納される第１の位置と前記第１の筐体の格納部から伸長される第２の位置にスライド移動するスライダユニットと、
このスライダユニットによる前記第２の筐体のスライド移動に連動して前記配線ケーブルの中間部を移動案内するケーブル案内機構と、
前記第２の筐体を前記第１の位置にロックし、選択的にロック解除して前記第２の位置への伸長移動を許容するロック機構と、
を具備することを特徴とする携帯端末。
【請求項２】
前記ケーブル案内機構の軸挿通孔は、前記スライドユニットの案内軸部に移動自在に挿通されている、請求項１記載の携帯端末。
【請求項３】
前記ロック機構のロック解除に連動して前記第２の筐体を前記第１の位置から前記第２の位置に伸長させる伸長機構を備えることを特徴とする請求項１又は２記載の携帯端末。
【請求項４】
前記第１の筐体の格納部は、凹状に形成されることを特徴とする請求項１乃至３のいずれか記載の携帯端末。
【請求項５】
前記スライダユニットは、前記第２の筐体の両側部に配置されることを特徴とする請求項１乃至４のいずれか記載の携帯端末。
【請求項６】
前記第１及び第２の筐体には、一方に表示部及び第１の操作部が設けられ、他方に第２の操作部が設けられることを特徴とする請求項１乃至５のいずれか記載の携帯端末。
【請求項７】
前記ロック機構は、第２の筐体のスライド方向と逆側の基端部に操作自在に設けられることを特徴とする請求項１乃至６のいずれか記載の携帯端末。
【発明の詳細な説明】
【技術分野】
【０００１】
この発明は、例えば携帯電話や、携帯型情報機器等の携帯端末に関する。
【背景技術】
【０００２】
最近、携帯端末においては、第１の印刷配線板が収容され、例えば操作部の配置される第１の筐体と、第２の印刷配線板が収容され、表示部の配置される第２の筐体とを積重状に連結配置し、撮影時等における使い勝手の向上を図るようにした筐体構成のものが普及されている（例えば、特許文献１参照。）。
【０００３】
このような携帯端末は、外径幅寸法が略同形状の第１の筐体と第２の筐体とをスライド機構を挟んでスライド移動自在に組付け配置され、この第１及び第２の筐体をスライド移動させて積重位置と、一端方向に伸長させた伸長位置に移動させることにより、所望の使用に供される。
【特許文献１】特開２００７−６１４６号公報
【発明の開示】
【発明が解決しようとする課題】
【０００４】
しかしながら、上記携帯端末では、略同形状の第１及び第２の筐体を、スライド機構を挟んで積重状に配置するスライド構成のために、厚さ寸法が嵩み、更なる薄形化の要請を満足するのが困難であるという問題を有する。
【０００５】
この発明は、上記の事情に鑑みてなされたもので、簡易な構成で、薄形化の促進を図り得るようにして、携帯性の向上を図った携帯端末を提供することを目的とする。
【課題を解決するための手段】
【０００６】
この発明は、第１の印刷配線基板が収容配置され、格納部が設けられた第１の筐体と、前記第１の印刷配線基板と電気的に接続される第２の印刷配線基板が収容配置され、前記第1の筐体の格納部に出入り自在に配される第２の筐体と、前記第１の筐体に収容された前記第１の印刷配線基板と前記第２の筐体に収容された前記第２の印刷配線基板とを配線接続する配線ケーブルと、前記格納部の側部に配され、前記第２の筐体を、前記第１の筐体の格納部に積重状に格納される第１の位置と前記第１の筐体の格納部から伸長される第２の位置にスライド移動するスライダユニットと、このスライダユニットによる前記第２の筐体のスライド移動に連動して前記配線ケーブルの中間部を移動案内するケーブル案内機構と、前記第２の筐体を前記第１の位置にロックし、選択的にロック解除して前記第２の位置への伸長移動を許容するロック機構と備えて携帯端末を構成した。
【０００７】
上記構成によれば、第２の筐体は、第１の筐体の格納部の側部に配したスライドユニットにより第１の位置に移動されて第１の筐体の格納部に積重状に格納され、該スライダ部材の反転移動により第１の位置から第２の位置に移動されて第１の筐体の格納部から伸長される。これにより、出入り自在に積重配置される第１及び第２の筐体は、その厚さ寸法を最小限に保つたうえで、積重配置することが可能となり、携帯に好適するまでの薄形化の促進を図ることができる。
【発明の効果】
【０００８】
以上述べたように、この発明によれば、簡易な構成で、薄形化の促進を図り得るようにして、携帯性の向上を図った携帯端末を提供することができる。
【発明を実施するための最良の形態】
【０００９】
以下、この発明の実施の形態に係る携帯端末について、図面を参照して詳細に説明する。
【００１０】
図１及び図２は、この発明の一実施の形態の適用された伸縮自在な携帯電話機の構成を示すもので、図１は、上筐体及び下筐体を構成する第１及び第２の筐体１０，３０が積重状に格納されて状態を示し、図２は、第２の筐体３０を第１の筐体１０から伸長させた状態を示している。
【００１１】
第１の筐体１０は、図３に示すように合体自在な上フロントケース１１及び上リアケース１２で形成され、この上フロントケース１１及び上リアケース１２が、例えば図示しない螺子部材を用いて箱状に合体されて構成されている。
【００１２】
この上フロントケース１１及び上リアケース１２内には、第１の印刷配線基板２１、表示部を構成するメインＬＣＤ１３及び、例えば機能操作部を構成する第１の操作部１４が収容配置されている。そして、上フロントケース１１には、視認窓１１１及び外部操作可能な操作窓１１２が上記メインＬＣＤ１３及び第１の操作部１４に対応して設けられている。
【００１３】
他方の上リアケース１２には、その下面に筐体収容部を構成する凹状の格納部１２１が上記第２の筐体３０の外径形状に対応して設けられている（図４参照）。そして、上リアケース１２の格納部１２１の両側部には、ユニット収容部１２２がそれぞれ設けられ、この各ユニット収容部１２２には、同様のスライドユニット１５がそれぞれ収容配置されている。
【００１４】
このスライドユニット１５は、固定部１５１，１５２がユニット収容部１２２内に所定の間隔に設けられ、この固定部間１５１，１５２には、案内軸部１５３が架設されている。そして、一方の固定部１５１には、ケーブル挿通孔１５４が設けられ、このケーブル挿通孔１５４には、配線接続用の配線ケーブル１６の中間部がそれぞれ移動自在に挿通されている。
【００１５】
上記固定部１５１のケーブル挿通孔１５４に挿通された２本の配線ケーブル１６は、各一端が、例えば共通の上側接続コネクタ１７に接続されている。この上側接続コネクタ１７は、上記第１の印刷配線基板２１に電気的に接続される。そして、この２本の配線ケーブル１６の各他端には、下側接続コネクタ１８がそれぞれ接続されている。
【００１６】
また、上リアケース１２には、その基端部に取付孔部１２３が設けられ、この取付孔部１２３には、ロック例えばスライド方向と逆側の基端部にロック機構を構成するロック部１９が、ロック解除操作自在に設けられている（図３参照）。このロック部１９は、上記上リアケース１２の格納部１２１に格納された詳細を後述する上記第２の筐体３０を格納位置においてロックし、その解除操作に応動して該第２の筐体３０を伸長可能にロック解除する。
【００１７】
この第２の筐体３０は、下フロントケース３１及び下リアケース３２で形成され、この下フロントケース３１及び下リアケース３２が、例えば図示しない螺子部材を用いて箱状に合体されて構成されている。この下フロントケース３１及び下リアケース３２内には、バッテリ３３及び第２の印刷配線基板３４が収容配置されている。このバッテリ３３及び第２の印刷配線基板３４は、相互間が電気的に接続されている。
【００１８】
上記下フロントケース３１の両側部には、ケーブル案内機構を構成する同様の被案内部３５がそれぞれ突出されて設けられている。そして、この被案内部３５には、軸挿通孔３５１が設けられている（図４参照）。
【００１９】
この被案内部３５の軸挿通孔３５１には、上記上リアケース１２に配したスライドユニット１５の案内軸部１５３に移動自在に挿通されている。そして、この被案内部３５と上記スライドユニット１５の一方の固定部１５１との間には、伸長機構を構成するばね部材２０（図３参照）が係着されている。
【００２０】
ばね部材２０は、例えば圧縮ばねで形成され、その内部に上記案内軸部１５３が遊挿されて、その一端がスライドユニット１５の一方の固定部１５１に係着される。そして、このばね部材２０の他端は、上記下フロントケース３１の被案内部３５に係着される。これにより、第２の筐体３０の下フロントケース３１には、ばね部材２０のばね力が、第１の筐体１０に対して伸長方向に付与されている。
【００２１】
また、被案内部３５には、ケーブル挿通孔３５２が軸挿通孔３５１と略平行に設けられ、この被案内部３５のケーブル挿通孔３５２には、上記固定部１５１のケーブル挿通孔１５４に挿通された２本の配線ケーブル１６の一方の中間部が移動自在に挿通される。この２本の配線ケーブル１６は、被案内部３５のケーブル挿通孔３５２の挿通された後、第２の筐体３０側に導かれて、その下側接続コネクタ１８が、上記第２の印刷配線基板３４に電気的に接続される。このようにして、第１の筐体１０内に収容した第１の印刷配線基板２１と第２の筐体３０内に収容した第２の印刷配線基板３４は、相互間が配線ケーブル１６を介して電気的に接続される。
【００２２】
上記下フロントケース３１には、その上面側に例えばキー操作部を構成する第２の操作部３６が操作自在に設けられている。この第２の操作部３６は、上記第２の印刷配線基板３４に設けられた図示しない被操作部に対向され、その操作により被操作部を介して各部を動作制御する。
【００２３】
また、下フロントケース３１の基端には、被ロック部３１１が上記ロック部１９に対応して設けられている。この被ロック部３１１は、上記第２の筐体３０が第１の筐体１０の上リアケース１２の格納部１２１に格納された状態で、上記ロック部１９によりロックされ、該ロック部１９のロック解除操作により第２の筐体３０の上リアケース１２の格納部１２１からの伸長が可能に開放される。
【００２４】
このように上記ロック部１９による下フロントケース３１の被ロック部３１１のロックが解除されると、第２の筐体３０は、その下フロントケース３１の両側部の被案内部３５を伸長方向に付勢するばね部材２０のばね力により、その被案内部３５がスライダユニット１５の案内軸部１５３に案内されて第１の筐体１０の上リアケース１２の格納部１２１から伸長される。この際、下フロントケース３１の被案内部３５は、スライダユニット１５の案内軸部１５３による移動案内に連動して接続ケーブル１６を案内して第２の筐体３０の直線移動を可能とする（図５及び図６参照）。
【００２５】
上記構成において、第２の筐体３０は、下フロントケース３１の被案内部３５がばね部材２０のばね力に抗してスライダユニット１５の案内軸部１５３に案内されて第１の筐体１０の上リアケース１２の格納部１２１に積重状に格納される。この状態で、第２の筐体３０は、その下フロントケース３１の被ロック部３１１が第１の筐体１０の上リアケース１２に配したロック部１９によりロックされ、格納部１２１における格納状態が維持されている（図１参照）。
【００２６】
この格納状態において、例えばユーザによる携帯が行われる。そして、使用に供する場合には、先ず第１の筐体１０に配したロック部１９がロック解除操作されて第２の筐体３０の下フロントケース３１の被ロック部３１１のロックが解除される。すると、第２の筐体３０は、ばね部材２０のばね力により下フロントケース３１の被案内部３１１が伸長方向に付勢されて、第１の筐体１０の上リアケース１２の格納部１２１から伸長され、ここに所望の使用に供することが可能となる（図２参照）。
【００２７】
この際、配線ケーブル１６は、下フロントケース３１の被案内部３５の移動に応じて該被案内部３５のケーブル挿通孔３５２に出入り自在に移動案内される。このようにして、配線ケーブル１６は、第２の筐体３０が、第１の筐体１０の上リアケース１２の格納部１２１から伸長移動をされるのを許容する。
【００２８】
また、伸長された第２の筐体３０を第１の筐体１０の上リアケース１２の格納部１２１に格納する場合には、第２の筐体３０を、ばね部材２０のばね力に抗して格納方向に押し込み操作する。すると、第２の筐体３０は、格納位置に到達すると、下フロントケース３１の被ロック部３１１がロック部１９にロックされ、ばね部材２０のばね力に抗して格納位置に位置決めされる。
【００２９】
この際、配線ケーブル１６は、下フロントケース３１の被案内部３５が反転移動されると、これに応じて該被案内部３５のケーブル挿通孔３５２に出入り自在に案内されて図６に示す伸長位置から図５に示す格納位置に移動される。このようにして、配線ケーブル１６は、第２の筐体３０が第１の筐体１０の上リアケース１２の格納部１２１に格納されるのを許容する。
【００３０】
このように、上記携帯電話機は、第１の筐体１０の上リアケース１２に格納部１２１を設けて、この格納部１２１の側部にスライドユニット１５を配し、このスライドユニット１５を用いて第２の筐体３０を上リアケース１２の格納部１２１に出入り自在に組付け配置するように構成した。
【００３１】
これによれば、第１及び第２の筐体１０，３０は、側部に配したスライドユニット１５によりスライド移動されることで、その厚さ寸法を最小限に保つことが可能となり、携帯に好適するまでの薄形化の促進を図ることができる。
【００３２】
また、スライド移動される第２の筐体３０の下フロントケース３１の側部にケーブル挿通孔３５２を有した被案内部３５を設けて、この被案内部３５をスライドユニット１５でスライド移動させると共に、この被案内部３５のケーブル挿通孔３５２に対して第１の筐体１０に収容された第１の印刷配線基板２１と第２の筐体３０に収容された上記第２の印刷配線基板３４とを配線接続する配線ケーブル１６の中間部を移動自在に挿通して、第２の筐体３０の移動位置に応じて出入り移動させるように構成した。
【００３３】
これによれば、第１及び第２の筐体１０，３０の厚さ寸法を最小限に保ったうえで、第１及び第２の筐体１０，３０間における配線接続を、信頼性の高い高精度な精度で行うことが可能となる。
【００３４】
なお、上記実施の形態では、第２の筐体３０を第１の筐体１０に対して伸長させる伸長機構として、ばね部材２００を、スライドユニット１５の案内軸部１５３の周囲に遊挿させた状態で、一方の固定部１５１と下フロントケース３１の被案内部３５との間に係着するように構成した場合について説明したが、この伸長機構に限ることなく、その他、各種の伸長構造を構成することが可能である。
【００３５】
また、上記各実施の形態では、第１の筐体１０の上リアケース１２の格納部１２１を挟んだ両側部にスライドユニット１５をそれぞれ配するように構成した場合について説明したが、これに限ることなく、その他、例えばスライドユニット１５を、格納部１２１の一方の側部にのみ配するように構成することも可能である。
【００３６】
さらに、上記実施の形態では、携帯電話機に適用した場合について説明したが、これに限ることなく、例えば携帯型情報機器を含む携帯端末に適用することも可能で、同様の効果が期待できる。
【００３７】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３８】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３９】
【図１】この発明の一実施の形態に係る携帯端末の適用された携帯電話機の格納状態における要部構成を示した斜視図である。
【図２】図１の携帯電話機の伸長状態を示した斜視図である。
【図３】図１の要部構成を分解して示した分解斜視図である。
【図４】図１の一部を断面して示した一部断面図である。
【図５】図１の格納状態における被案内部の移動位置を示した配置図である。
【図６】図２の伸長状態における被案内部の移動位置を示した配置図である。
【符号の説明】
【００４０】
１０…第１の筐体、１１…上フロントケース、１１１…視認窓、１１２…操作窓、１２…上リアケース、１２１…格納部、１２２…ユニット収容部、１２３…取付孔部、１３…メインＬＣＤ、１４…第１の操作部、１５…スライドユニット、１５１，１５２…固定部、１５３…案内軸部、１５４…ケーブル挿通孔、１６…配線ケーブル、１７…上側接続コネクタ、１８…下側接続コネクタ、１９…ロック部、２０…ばね部材、２１…第１の印刷配線基板、３０…第２の筐体、３１…下フロントケース、３１１…被ロック部、３２…下リアケース、３３…バッテリ、３４…第２の印刷配線基板、３５…被案内部、３５１…軸挿通孔、３５２…ケーブル挿通孔、３６…第２の操作部。
【図１】
0004905333.tif 000002
【図２】
0004905333.tif 000003
【図３】
0004905333.tif 000004
【図４】
0004905333.tif 000005
【図５】
0004905333.tif 000006
【図６】
0004905333.tif 000007